(57)【要約】【課題】振動雑音の防止機能を損なうことなく、マイクロホンケース内に外来電磁波による高周波電流が入り込んだとしても、それによる雑音発生を防止する。【解決手段】上面側が開放された金属製の扁平なベース部１０と、その上面側を覆う多数の開口を有する金属製のマイクカバー２０とを含むマイクロホンケース１内に、金属製のユニットケース３１内に静電型の音響電気変換器３２およびインピーダンス変換器３３を備えているマイクロホンユニット３０が収納され、マイクロホンユニット３０が弾性部材を介して固定バンド５０によりベース部１０上に固定されているバウンダリーマイクロホンにおいて、弾性部材として導電布６０を用い、マイクロホンユニット３０のうちの少なくともインピーダンス変換器収納部分３３ａを導電布６０にて包み込んだ状態で固定バンド５０によりベース部１０上に固定する。【選択図】図１
2010171751.tif 000002
【特許請求の範囲】
【請求項１】
上面側が開放された金属製の扁平なベース部と、上記ベース部の上面側を覆う多数の開口を有する金属製のマイクカバーとを含むマイクロホンケースを備え、上記マイクロホンケース内に、金属製のユニットケース内に静電型の音響電気変換器およびインピーダンス変換器を備えているマイクロホンユニットがその収音軸を上記ベース部と平行とした横置き状態で収納され、上記マイクロホンユニットが弾性部材を介して固定バンドにより上記ベース部上に固定されているバウンダリーマイクロホンにおいて、
上記弾性部材として導電布が用いられ、上記マイクロホンユニットのうちの少なくとも上記インピーダンス変換器が収納されているインピーダンス変換器収納部分が上記導電布にて包まれた状態で上記固定バンドにより上記ベース部上に固定されていることを特徴とするバウンダリーマイクロホン。
【請求項２】
上記導電布は、上記インピーダンス変換器収納部分を包む円筒部を備え、上記円筒部のうちの少なくとも上記ベース部と接触する部分には、上記ユニットケースの全長にわたって延びていて、上記ユニットケースと上記ベース部との間に配置される舌片が連設されていることを特徴とする請求項１に記載のバウンダリーマイクロホン。
【発明の詳細な説明】
【技術分野】
【０００１】
本発明は、バウンダリーマイクロホンに関し、さらに詳しく言えば、外来電磁波による雑音の発生を防止する技術に関するものである。
【背景技術】
【０００２】
バウンダリーマイクロホン（面状収音式マイクロホン）は、例えばＴＶスタジオや会議室などにおいて、机や床面に設置して使用されることからサーフェイスマウントマイクロホンとも呼ばれており、そのマイクロホンケースとして、特許文献１に記載されているような扁平なマイクロホンケースが用いられる。図４および図５により、その一例を説明する。なお、図４は図５のＤ−Ｄ線に沿った断面図、図５は図４のＣ−Ｃ線に沿った断面図である。
【０００３】
これによると、バウンダリーマイクロホンに用いられるマイクロホンケース１は、基本的に、上面側が開放された金属製の扁平なベース部１０と、その上面を覆うようにしてベース部１０に取り付けられる多数の開口（音波導入孔）を有する金属製のマイクカバー２０の２つの部品で構成される。
【０００４】
通常、ベース部１０は亜鉛ダイカストなどの鋳造により形成され、マイクカバー２０にはパンチングプレート（多孔板）が用いられる。パンチングプレートに代えて、金網体が用いられることもある。
【０００５】
マイクカバー２０は、ベース部１０に対してネジ止めされるが、多点でネジ止めすると見栄えが損なわれることから、通常は一点止めとしている。
【０００６】
すなわち、マイクカバー２０のほぼ中央にネジ挿通孔２１を穿設するとともに、ベース部１０には相手方となる雌ネジを有するボス１１を立てて、固定用の雄ネジ２２をネジ挿通孔２１からボス１１に螺合して、マイクカバー２０をベース部１０に対して固定するようにしている。
【０００７】
これにより、ベース部１０とマイクカバー２０との間にシールド空間が形成され、その内部にマイクロホンユニット３０と、回路基板４０とが収納される。
【０００８】
バウンダリーマイクロホンにおいて、マイクロホンユニット３０には、金属製のユニットケース３１内に、振動板と固定極とを対向的に配置してなる静電型の音響電気変換器３２と、インピーダンス変換器としてのＦＥＴ（電界効果トランジスタ）３３とを備えるコンデンサマイクロホンユニットが用いられる。
【０００９】
図示しないが、回路基板４０には、音質調整回路や音声信号出力回路などが実装されている。また、回路基板４０にはマイクコード４１が接続される。マイクコード４１はコードブッシュ１２を介してベース部１０から引き出され、図示しないファントム電源などに接続される。
【００１０】
ところで、マイクカバー２０に用いられるパンチングプレートは多数の孔が開けられた例えば鉄板よりなり、所定の形状に切り出されたのちプレスで目的とする形状に加工されるが、多孔板であるためベース部１０と接触する周端面（切断面）２０ａは不斉一でギザギザしている。また、ベース部１０もダイカスト製の場合、その鋳肌面は必ずしも平坦ではない。
【００１１】
そのため、ベース部１０とマイクカバー２０の電気的な接続は多点での点接触となっているが、外来電磁波による影響を考える場合、放送局で使用される通常のＶＨＦ，ＵＨＦ帯などの電磁波による干渉については、上記したベース部１０とマイクカバー２０とによるシールドで十分に対応することができる。
【００１２】
しかしながら、マイクロホンの分野においては、近年の携帯電話機の急速な普及に伴って、携帯電話機から放射される強力な電磁波（例えば、数ｃｍ〜数１０ｃｍ程度の範囲内では商用電波により市中生じている電界強度の数万倍に達する電界強度）による影響が問題となっている。
【００１３】
すなわち、上記したベース部１０とマイクカバー２０とによるシールドでは、その電気的な接触が点接触であり、その部分が高周波に対してインピーダンスを持つため、上記したような強い電磁波に対してはマイクカバー２０がアンテナとして作用し、これが原因で雑音が発生することがある。
【００１４】
この問題を解決するため、本出願人は、特許文献２として、ベース部１０とマイクカバー２０との突き合わせ端面間に、弾性と導電性とを併せ持つ導電布よりなるガスケットを介在させて、マイクロホンケース１のシールドを強化して、特に携帯電話機から放射される電磁波による雑音の発生を防止することを提案している。
【００１５】
特許文献２に記載の発明によれば、ベース部１０とマイクカバー２０との突き合わせ端面間における高周波的なインピーダンスが全周にわたって低く一様であれば有効なシールド作用が得られる。
【００１６】
しかしながら、例えば使用するガスケット（導電布）の材質などにより部分的に高周波的なインピーダンスが高い部分が存在すると、その部分からマイクロホンケース１内に高周波電流が入り込み、それがＦＥＴ３３で検波されることによって雑音が発生されることがあり得る。
【００１７】
別の問題として、マイクロホンユニット３０は固定バンド５０によりベース部１０に固定されるが、バウンダリーマイクロホンは机や床面に設置されることから、振動を受けやすい。
【００１８】
そのため、振動に起因する雑音発生を防止する対策として、図５に示すように、マイクロホンユニット３０とベース部１０との間と、固定バンド５０とマイクロホンユニット３０との間に、それぞれ振動吸収部材（ダンパー材）として例えばブチルゴム等からなる弾性体５１ａ，５１ｂを介在させるようにしている。
【００１９】
これによると、マイクロホンユニット３０とベース部１０とが電気的に絶縁されることになるため、マイクロホンユニット３０の接地（ユニットケース３１）をリード線３４を介して回路基板４０のグランドに接続する必要がある。
【００２０】
この場合、リード線３４の配線スペースが狭く、また、配線寸法も短いことから、リード線３４にシールド被覆線を用いることができない。
【００２１】
したがって、リード線３４が高周波電流を取り込むアンテナとして動作し、マイクロホンケース１内に高周波電流が入り込んだ場合、その高周波電流がリード線３４を介してＦＥＴ３３に流れ、大きな雑音が発生してしまう、という問題が生ずる。
【先行技術文献】
【特許文献】
【００２２】
【特許文献１】実用新案登録第２５１５８１２号公報
【特許文献２】特開２００５−３３３１８０号公報
【発明の概要】
【発明が解決しようとする課題】
【００２３】
したがって、本発明の課題は、振動雑音の防止機能を損なうことなく、マイクロホンケース内に外来電磁波による高周波電流が入り込んだとしても、それによる雑音発生を防止し得るようにしたバウンダリーマイクロホンを提供することにある。
【課題を解決するための手段】
【００２４】
上記課題を解決するため、本発明は、上面側が開放された金属製の扁平なベース部と、上記ベース部の上面側を覆う多数の開口を有する金属製のマイクカバーとを含むマイクロホンケースを備え、上記マイクロホンケース内に、金属製のユニットケース内に静電型の音響電気変換器およびインピーダンス変換器を備えているマイクロホンユニットがその収音軸を上記ベース部と平行とした横置き状態で収納され、上記マイクロホンユニットが弾性部材を介して固定バンドにより上記ベース部上に固定されているバウンダリーマイクロホンにおいて、上記弾性部材として導電布が用いられ、上記マイクロホンユニットのうちの少なくとも上記インピーダンス変換器が収納されているインピーダンス変換器収納部分が上記導電布にて包まれた状態で上記固定バンドにより上記ベース部上に固定されていることを特徴としている。
【００２５】
本発明において、上記導電布は、上記インピーダンス変換器収納部分を包む円筒部を備え、上記円筒部のうちの少なくとも上記ベース部と接触する部分には、上記ユニットケースの全長にわたって延びていて、上記ユニットケースと上記ベース部との間に配置される舌片が連設されていることが好ましい。
【発明の効果】
【００２６】
本発明によれば、マイクロホンユニットのうちの少なくともインピーダンス変換器が収納されているインピーダンス変換器収納部分が導電布にて包まれた状態で固定バンドによりベース部上に固定され、インピーダンス変換器収納部分が導電布を介してベース部に電気的に接続されるようにしたことにより、マイクロホンケース内に外来電磁波による高周波電流が入り込んだとしても、インピーダンス変換器（ＦＥＴ）に流れず、高周波電流に起因する雑音発生を防止することができる。また、導電布は弾性を有しているため、振動雑音の発生をも防止できる。
【図面の簡単な説明】
【００２７】
【図１】本発明のバウンダリーマイクロホンを示す断面図（図２のＢ−Ｂ線断面図）。
【図２】本発明のバウンダリーマイクロホンを示す断面図（図１のＡ−Ａ線断面図）。
【図３】本発明に適用される導電布の構成例を示す斜視図。
【図４】従来のバウンダリーマイクロホンを示す断面図（図５のＤ−Ｄ線断面図）。
【図５】従来のバウンダリーマイクロホンを示す断面図（図４のＣ−Ｃ線断面図）。
【発明を実施するための形態】
【００２８】
次に、図１ないし図３を参照して、本発明の実施形態について説明する。この実施形態の説明において、先の図４，図５により説明した従来例と同一もしくは同一と見なされてよい構成要素には同じ参照符号を付している。
【００２９】
図１および図２に示すように、本発明のバウンダリーマイクロホンにおいても、マイクロホンケース１は、基本的な構成として、上面側が開放された扁平なベース部１０と、その上面を覆うようにして取り付けられる多数の開口（音波導入孔）を有する金属性のマイクカバー２０とを備える。
【００３０】
ベース部１０は、好ましくは亜鉛ダイカストなどの鋳造により形成されるが、これ以外に金属プレスの成型品が用いられてもよい。また、マイクカバー２０には、通常、パンチングプレート（多孔板）が用いられるが、パンチングプレートに代えて、金網体が用いられてもよい。また、本体を目立たないようにするために黒色等の塗装が施されてもよい。
【００３１】
マイクカバー２０は、ベース部１０に対してネジ止めされるが、多点でネジ止めすると見栄えが損なわれることから、マイクカバー２０のほぼ中央の１個所にネジ挿通孔２１を穿設するとともに、ベース部１０には雌ネジを有するボス１１を立てて、固定用の雄ネジ２２をネジ挿通孔２１からボス１１に螺合し、マイクカバー２０をベース部１０に対して一点止めとすることが好ましい。
【００３２】
これにより、ベース部１０とマイクカバー２０との間にシールド空間が形成され、その内部にマイクロホンユニット３０と、回路基板４０とが収納される。
【００３３】
マイクロホンユニット３０には、上記従来例と同じく、金属製の円筒状をなすユニットケース３１内に、振動板と固定極とを対向的に配置してなる静電型の音響電気変換器３２と、インピーダンス変換器としてのＦＥＴ（電界効果トランジスタ）３３とを備えるコンデンサマイクロホンユニットが用いられる。
【００３４】
この実施形態において、マイクロホンユニット３０は、詳しくは図示されていないが、ユニットケース３１の前端面に前部音響端子を有し、ユニットケース３１の側周面に後部音響端子が設けられている単一指向性マイクロホンユニットである。
【００３５】
図示しないが、回路基板４０には、音質調整回路や音声信号出力回路などが実装されている。また、回路基板４０にはマイクコード４１が接続される。マイクコード４１はコードブッシュ１２を介してベース部１０から引き出され、図示しない例えばファントム電源などに接続される。
【００３６】
マイクロホンユニット３０は、その収音軸をベース部１０と平行として、ベース部１０上に横置き状態で配置され、固定バンド５０により固定されるが、本発明において、マイクロホンユニット３０は、導電布６０にて包まれた状態で固定バンド５０によりベース部１０上に固定される。
【００３７】
図３を参照して、この実施形態において、導電布６０は、円筒部６１と、円筒部６１の一部分の一端側から円筒部６１の軸線方向に沿ってユニットケース３１の全長にわたって延びる舌片６２とを備える。
【００３８】
円筒部６１の内径は、ユニットケース３１の外径とほぼ同一であって、円筒部６１内にマイクロホンユニット３０のうちのインピーダンス変換器３３が収納されているインピーダンス変換器収納部分３３ａが嵌合される。円筒部６１は、後部音響端子を覆わない。
【００３９】
円筒部６１内にインピーダンス変換器収納部分３３ａが嵌合されるに伴って、舌片３２はユニットケース３１の側周面に沿って配置され、図１に示すように、マイクロホンユニット３０は、ベース部１０との間で舌片３２を挟むようにしてベース部１０上に配置され、固定バンド５０で固定される。
【００４０】
導電布６０は、例えば銀コーティングしたナイロン繊維にニッケルめっきを施した導電性繊維を布状に織りもしくは不織布状に加工した導電性と弾性とを併せ持つ布材で、例えばセーレン社製の品番ＳＵＩ−１０−７０Ｘを使用することができる。
【００４１】
この実施形態において、固定バンド５０は、円筒部６１とほぼ同幅の帯材で、円筒部６１上に配置され、その両端が雄ネジ５２，５２にてベース部１０に取り付けられる。固定バンド５０は、金属製もしくは合成樹脂製のいずれであってもよいが、好ましくは金属製がよい。
【００４２】
マイクロホンユニット３０は、上記従来例と同じく、その接地（ユニットケース３１）がリード線３４を介して回路基板４０のグランドに接続されるが、本発明によれば、インピーダンス変換器収納部分３３ａが導電布６０の円筒部６１にて包まれており、ユニットケース３１が導電布６０を介してベース部１０に電気的に接続されているため、リード線３４がアンテナとして動作することがなく、高周波電流による雑音の発生が防止される。
【００４３】
また、マイクロホンユニット３０とベース部１０との間に導電布６０の舌片６２が配置されているため、その弾性にて外来振動が直接マイクロホンユニット３０に伝わらず、振動雑音の発生も軽減される。
【００４４】
なお、マイクカバー２０の端面２０ａとベース部１０との間に、導電布６０と同様の導電布をはさみ込んでもよい。また、上記実施形態では、導電布６０は舌片６２を備えているが、舌片６２を省略して、導電布６０をインピーダンス変換器収納部分３３ａを包み込む円筒部６１のみの構成としてもよい。
【符号の説明】
【００４５】
１  マイクロホンケース
１０  ベース部
２０  マイクカバー
２０ａ  端面
２１  ネジ挿通孔
２２  雄ネジ
３０  マイクロホンユニット
３１  ユニットケース
３２  静電型音響電気変換器
３３  インピーダンス変換器（ＦＥＴ）
３３ａ  インピーダンス変換器収納部分
３４  リード線
４０  回路基板
４１  マイクコード
５０  固定バンド
６０  導電布
６１  円筒部
６２  舌片
【図１】
2010171751.tif 000003
【図２】
2010171751.tif 000004
【図３】
2010171751.tif 000005
【図４】
2010171751.tif 000006
【図５】
2010171751.tif 000007